(57)【要約】【課題】表面にディンプル状の凹部や溝を有するローラーに付着した異物等をコンパクトで安易な装置で良好に洗浄できるローラー洗浄装置を提供することことを目的とする。【解決手段】  ローラー表面にディンプル状の凹部や溝を有するローラーを洗浄するローラー洗浄装置であって、前記ローラーの下面にローラーと微小隙間を有し、ローラーの下面の一部を覆う洗浄槽と、前記洗浄槽の内方に、洗浄液または圧縮空気のいずれかを噴出する少なくとも１個以上のスプレーノズルと、前記洗浄液を貯蔵する洗浄タンクと、前記洗浄タンクから洗浄槽へ洗浄液を送る搬送手段と、前記洗浄槽から洗浄済みの洗浄液を回収するドレン機構と、  を具備していることを特徴とするローラー洗浄装置である。【選択図】図１
2009066524.tif 000002
【特許請求の範囲】
【請求項１】
ローラー表面にディンプル状の凹部や溝を有するローラーを洗浄するローラー洗浄装置であって、
前記ローラーの下面にローラーと微小隙間を有し、ローラーの下面の一部を覆う洗浄槽と、
前記洗浄槽の内方に、洗浄液または圧縮空気のいずれかを噴出する少なくとも１個以上のスプレーノズルと、
前記洗浄液を貯蔵する洗浄タンクと、
前記洗浄タンクから洗浄槽へ洗浄液を送る搬送手段と、
前記洗浄槽から洗浄済みの洗浄液を回収するドレン機構と、
を具備していることを特徴とするローラー洗浄装置。
【請求項２】
前記洗浄槽に、ローラー軸方向に移動する機構が具備されていることを特徴とする請求項１記載のローラー洗浄装置。
【請求項３】
前記スプレーノズルから洗浄液または圧縮空気のいずれかを噴出させる切り替え機構が具備されていることを特徴とする請求項１又は２に記載のローラー洗浄装置。
【請求項４】
前記洗浄槽に、洗浄槽の内側から外側へ排気手段が具備されていることを特徴とする請求項１乃至３のいずれか１項に記載のローラー洗浄装置。
【請求項５】
前記ローラーとの間に、ローラーに接触し、ローラー表面を拭き取る機構を具備されていることを特徴とする請求項１乃至４のいずれか１項に記載のローラー洗浄装置。
【発明の詳細な説明】
【技術分野】
【０００１】
本発明は、ローラー表面にディンプル状の凹部や溝を有するローラーを洗浄する無駆動ローラーのローラー洗浄装置に関するものである。
【背景技術】
【０００２】
近年、コンバーティング業界等において、塗工液をフィルム等に塗工し、付加価値を高めた商品が数多く生産されている。この商品を生産する装置のローラーは、基材によって連れ回りをするローラー（以後フリーローラーと呼ぶ）が多く使用されている。
【０００３】
このフリーローラーは、基材を搬送する上で、基材に傷をつけない様にローラーの表面粗さを細かくする必要がある。このローラーの表面粗さが細かい場合、基材の搬送速度を上げると、ローラー表面の粗さの粗いローラーと比べ、スリップが発生しやすいことが知られている。
【０００４】
このスリップを防止する方法として、ローラーの表面にガラスビーズ等を高圧で吹きつけ、ディンプル状の凹部を形成したり、ローラー回転方向に溝を設けた溝付きローラーが使用されている。
【０００５】
このような、ローラー表面にディンプル状の凹部や溝を有する場合、その凹部に異物が入り込むことがある。
【０００６】
また、ローラー表面にディンプル状の凹部や溝が無い平坦なローラーでは、ローラー表面に異物が付着した場合、溶剤を含浸させたウエスにより容易に除去が可能であった。
【０００７】
前記ディンプル状の凹部や溝を有するローラーの凹部に入り込んだ異物は、平坦なローラーの様に容易に除去することが出来ない。
【０００８】
この異物が基材に転写され、異物欠陥となったり、ディンプル状の凹部や溝を塞がれる。そして、ディンプル状の凹部や溝を有するローラーの機能が失われてしまうことがある。
【０００９】
このようなローラーの凹部や溝に入り込んだ異物を洗浄する方法として、ローラーを洗浄槽に浸し、超音波洗浄装置を用いてローラーを洗浄もするローラーの洗浄装置（例えば、特許文献１参照。）が知られている。
【００１０】
このローラーの洗浄装置は、グラビアロール等の中に入り込んだインキを洗浄する。また、洗浄するロールが単一ロール、且つ、装置が多少大きくても問題は発生しない。
【００１１】
以下に先行技術文献を示す。
【特許文献１】特開２００１−２８６８３７号公報
【発明の開示】
【発明が解決しようとする課題】
【００１２】
しかしながら、フリーローラーの洗浄は、本数が多数あり、且つ、装置のスペースが制約されるという問題がある。さらに、スペースが制約されるため、煩雑な装置が使用できないと言う問題がある。
【００１３】
本発明は、上記従来の問題に鑑みてなされたものであり、その課題とするところは、表面にディンプル状の凹部や溝を有するローラーに付着した異物等をコンパクトで安易な装置で良好に洗浄できるローラー洗浄装置を提供することことを目的とする。
【課題を解決するための手段】
【００１４】
上記問題点を解決するために、本発明の請求項１に係る発明は、
ローラー表面にディンプル状の凹部や溝を有するローラーを洗浄するローラー洗浄装置であって、
前記ローラーの下面にローラーと微小隙間を有し、ローラーの下面の一部を覆う洗浄槽と、
前記洗浄槽の内方に、洗浄液または圧縮空気のいずれかを噴出する少なくとも１個以上のスプレーノズルと、
前記洗浄液を貯蔵する洗浄タンクと、
前記洗浄タンクから洗浄槽へ洗浄液を送る搬送手段と、
前記洗浄槽から洗浄済みの洗浄液を回収するドレン機構と、
を具備していることを特徴とするローラー洗浄装置である。
【００１５】
次に、本発明の請求項２に係る発明は、
前記洗浄槽に、ローラー軸方向に移動する機構が具備されていることを特徴とする請求項１記載のローラー洗浄装置である。
【００１６】
次に、本発明の請求項３に係る発明は、
前記スプレーノズルから洗浄液または圧縮空気のいずれかを噴出させる切り替え機構が具備されていることを特徴とする請求項１又は２に記載のローラー洗浄装置である。
【００１７】
次に、本発明の請求項４に係る発明は、
前記洗浄槽に、洗浄槽の内側から外側へ排気手段が具備されていることを特徴とする請求項１乃至３のいずれか１項に記載のローラー洗浄装置である。
【００１８】
次に、本発明の請求項５に係る発明は、
前記ローラーとの間に、ローラーに接触し、ローラー表面を拭き取る機構を具備されていることを特徴とする請求項１乃至４のいずれか１項に記載のローラー洗浄装置である。
【発明の効果】
【００１９】
本発明のローラー洗浄装置は以上の構成からなるのでディンプル状の凹部や溝に入り込んだ異物を洗浄液で容易に掻き落すことができる。さらに、洗浄した洗浄液が洗浄装置の外部に漏れる量を抑えることができる。
【００２０】
また、洗浄するローラー全体を短い時間で、洗浄超音波発生装置等の高価で煩雑な装置等を用いることなく、安価で、広いスペースを必要としない安易な装置でできる。
【００２１】
さらに、洗浄液と圧縮エアーを切り替える機構を設けてあるため、洗浄液によりローラー表面を洗浄後、スプレーノズルより圧縮エアーをローラー表面に噴きかけることで、洗浄液を吹き落とし、ローラー表面を乾燥させることができる。
【００２２】
また、ローラー表面を拭き取る機構が具備されているため、ローラー表面に残留した洗浄液や、異物を完全にふき取ることをできる。
【００２３】
ローラー表面に残留した洗浄液が拭き取られるため、作業場等の雰囲気を汚染すること
がない。
【発明を実施するための最良の形態】
【００２４】
本発明のローラー洗浄装置を実施の形態に沿って以下に図面を参照にしながら詳細に説明する。図１〜図７は本発明の一実施例を示す。
【００２５】
図１は、本発明のローラー洗浄装置の洗浄槽の一実施例の概略を示す斜視図である。
【００２６】
図１に示すように、本発明のローラー洗浄装置の、洗浄槽の形状はＶ字形の断面形状に形成されている。また、洗浄槽の長手方向端面下部には、ドレン３が設けられている。そして、洗浄済みの洗浄液はドレン３から排出される。
【００２７】
前記洗浄槽の形状をＶ字形の断面形状とすることで、洗浄液をドレン３へと導きやすくなる。また、洗浄槽１の長手方向中央位置にスプレーノズル２が設けられている。
【００２８】
次に、図２は、本発明のローラー洗浄装置の洗浄槽の一実施例の断面を示す断面概略図である。
【００２９】
図２に示すように、ローラー８と洗浄槽１は均等な隙間１ｍｍを持つように形成される。また、スプレーノズル２は、ローラー８の中心方向を向き、洗浄能力が高くなるように設けられている。さらに、洗浄槽１は、洗浄槽１の下部に取り付けられたスライドガイド４により、ローラー８と等間隔を保って移動することができる。
【００３０】
次に、図３は、本発明のローラー洗浄装置の概略を説明する概略図で、（ａ）はローラー洗浄装置の側面を示す概略図であり、（ｂ）はローラー洗浄装置の正面も示す概略図である。図３（ａ）（ｂ）に示すようにベースの長手方向の両端にすべり軸受け７が設けられているガイド固定治具６が形成されている。また、ベースの横幅方向の中央位置にスライドガイド４をガイドするガイドレールが設けられている。
【００３１】
前記ガイド固定治具６に設けられているすべり軸受け７は、上方部分と下方部分に分割可能となっている。このため、ローラー８をガイド固定治具６に載置する際には、すべり軸受け７の下方部分にローラー８の軸部を載置した後、すべり軸受け７の上方部分がローラー８の軸部の上方に載置され、固定される。このような構成とすることで、ローラー８は洗浄装置が洗浄中でも、容易に回転させることができる。
【００３２】
次に、図４は本発明のローラー洗浄装置の洗浄槽の他の一実施例の概略を示す斜視図である。
【００３３】
図４に示すように、この洗浄槽１は洗浄槽１の長手方向側面の略中央位置に排気口５が設けられている。このため、洗浄槽内を負圧に保つことが出来る。
【００３４】
次に、図５は本発明のローラー洗浄装置の洗浄槽の断面を示す概略断面図である。図５に示すように圧送された洗浄液９または圧縮空気は洗浄槽内に設けられているスプレーノズル２により幅広に拡散される。また、スプレーされる範囲は、洗浄槽１の幅をカバー出来るように、ローラー８との距離、スプレーノズル２の数が適宜選定される。
【００３５】
次に、図６は、本発明のローラー洗浄装置の概略を示す概略説明図である。図６に示すように、本発明のローラー洗浄装置は洗浄液タンク１３に圧縮空気１５を送り、洗浄液９を加圧する。加圧された洗浄液９は切替弁２０を通り、洗浄槽１に取り付けられたスプレーノズル２よりローラー８に向かって放出される。洗浄済みの洗浄液は、洗浄槽１に取り付けられたドレン３より回収され、フィルタ１２を介し、再度洗浄液タンク１３に戻される。
【００３６】
また、洗浄したローラーを乾燥させる場合は、切替弁２０を切替え、圧縮空気１５をスプレーノズル２に送り、ローラー８に噴きつける。洗浄槽１内が陽圧となるよう、排気口５より排気を行う。洗浄液９が溶剤の場合、排気口５からブロワ１０を介してＶＯＣ処理装置へと接続される。洗浄液９の加圧圧力と、乾燥用圧縮空気圧力は、共に０．５ＭＰａ程度が、洗浄性が良い。
【００３７】
また、洗浄槽１の長手方向もしくは、端面にある隙間部分に発塵性の無いウェスを挟むことで、洗浄槽１を回転もしくは、ローラー軸方向へ動かすことで、洗浄液による洗浄と同時に拭き取り洗浄も可能となる。
【図面の簡単な説明】
【００３８】
【図１】本発明のローラー洗浄装置の洗浄槽の一実施例の概略を示す斜視図である。
【図２】本発明のローラー洗浄装置の洗浄槽の一実施例の断面を示す断面概略図である。
【図３】本発明のローラー洗浄装置の概略を説明する概略図で、（ａ）はローラー洗浄装置の側面を示す概略図であり、（ｂ）はローラー洗浄装置の正面も示す概略図である。
【図４】本発明のローラー洗浄装置の洗浄槽の他の一実施例の概略を示す斜視図である。
【図５】本発明のローラー洗浄装置の洗浄槽の断面を示す概略断面図である。
【図６】本発明のローラー洗浄装置の概略を示す概略説明図である。
【符号の説明】
【００３９】
１…洗浄槽
２…スプレーノズル
３…ドレン
４…スライドガイド
５…排気口
６…ガイド固定治具
７…すべり軸受け
８…ローラー
９…洗浄液
１０…ブロワ
１１…ＶＯＣ処理装置
１２…フィルター
１３…洗浄液タンク
１５…圧縮空気
１７…圧縮空気源
１９…圧縮空気長孔
２０…切替弁
【図１】
2009066524.tif 000003
【図２】
2009066524.tif 000004
【図３】
2009066524.tif 000005
【図４】
2009066524.tif 000006
【図５】
2009066524.tif 000007
【図６】
2009066524.tif 000008